(57)【特許請求の範囲】
【請求項１】
白色の電磁波硬化型インクを媒体に向けて吐出し背景画像を形成する工程と、
前記媒体に形成された前記背景画像に第１照射強度の電磁波を照射する第１電磁波照射工程と、
前記電磁波が照射された前記背景画像の上に、前記白色とは異なる色の電磁波硬化型インクを吐出する工程と、
前記背景画像の上に着弾した前記白色とは異なる色の電磁波硬化型インクに第２照射強度の電磁波を照射する第２電磁波照射工程と、
を備え、
前記第１照射強度は、前記第２電磁波照射工程の後の、前記背景画像に対する前記白色とは異なる色の電磁波硬化型インクの接触角が９０度よりも大きくなるように照射強度が設定されていることを特徴とする印刷方法。
【請求項２】
前記第２電磁波照射工程の後に、前記白色とは異なる色の電磁波硬化型インクに対して、前記第２照射強度よりも強い照射強度の電磁波を照射して、前記白色とは異なる色の電磁波硬化型インクを本硬化する本硬化工程を有することを特徴とする請求項１に記載の印刷方法。
【請求項３】
前記第２電磁波照射工程と前記本硬化工程との間に、前記白色とは異なる色の電磁波硬化型インクの上に透明の電磁波硬化型インクを吐出する工程を備えることを特徴とする請求項２に記載の印刷方法。
【請求項４】
前記電磁波は紫外線であることを特徴とする請求項１乃至請求項３のいずれか一項に記載の印刷方法。
【請求項５】
媒体に白色の電磁波硬化型インクを吐出する第１ヘッドと、
前記媒体に着弾した前記白色の電磁波硬化型インクに第１照射強度の電磁波を照射する第１電磁波照射部と、
前記白色の電磁波硬化型インクの上に、前記白色とは異なる色の電磁波硬化型インクを吐出する第２ヘッドと、
前記白色の電磁波硬化型インクの上に着弾した前記白色とは異なる色の電磁波硬化型インクに第２照射強度の電磁波を照射する第２電磁波照射部と、
を備え、請求項１乃至３のいずれか一項に記載の印刷方法を実施する印刷装置。
【発明の詳細な説明】
【技術分野】
【０００１】
本発明は、印刷方法及び印刷装置に関する。
【背景技術】
【０００２】
互いに異なるインクを媒体に向けて吐出する複数のヘッドを有する印刷装置は既によく知られている。かかる印刷装置としては、紙や布、フィルムなどの各種媒体にインクを吐出して、印刷を行うインクジェットプリンターが知られている。また、当該印刷装置の中には、紫外線等の電磁波を照射すると硬化する電磁波硬化型インクを使用するものがあり、この印刷装置には、前記複数のヘッドにより吐出される互いに異なる電磁波硬化型インクの各々を照射するための複数の照射部が備えられている。
【先行技術文献】
【特許文献】
【０００３】
【特許文献１】特開２００４−１４３７号公報
【発明の概要】
【発明が解決しようとする課題】
【０００４】
上記印刷装置においては、印刷の際に、前記複数のヘッドのうちの一のヘッドが、前記互いに異なる電磁波硬化型インクのうちの一の電磁波硬化型インクを吐出する第一吐出動作と、一のヘッドに対応した照射部が、一の電磁波硬化型インクに電磁波を照射する第一照射動作と、他のヘッドが他の電磁波硬化型インクを一の電磁波硬化型インクに重なるように一の電磁波硬化型インクが吐出された媒体上の画素に向けて吐出する第二吐出動作と、他のヘッドに対応した照射部が他の電磁波硬化型インクに電磁波を照射する第二照射動作と、がこの順に実行される。そして、かかる際に、他の電磁波硬化型インクが一の電磁波硬化型インクに重ねられるが、電磁波硬化型インクの重なり方の態様に起因して、画像の画質の劣化が生ずる場合があった。
【０００５】
本発明は、かかる課題に鑑みてなされたものであり、その目的とするところは、画像の画質の劣化を抑止することにある。
【課題を解決するための手段】
【０００６】
本発明の一実施形態に係る印刷方法は、白色の電磁波硬化型インクを媒体に向けて吐出し背景画像を形成する工程と、前記媒体に形成された前記背景画像に第１照射強度の電磁波を照射する第１電磁波照射工程と、前記電磁波が照射された前記背景画像の上に、前記白色とは異なる色の電磁波硬化型インクを吐出する工程と、前記背景画像の上に着弾した前記白色とは異なる色の電磁波硬化型インクに第２照射強度の電磁波を照射する第２電磁波照射工程と、を備え、前記第１照射強度は、前記第２電磁波照射工程の後の、前記背景画像に対する前記白色とは異なる色の電磁波硬化型インクの接触角が９０度よりも大きくなるように照射強度が設定されていることを特徴とする。
また、本発明の一実施形態に係る印刷方法において、前記第２電磁波照射工程の後に、前記白色とは異なる色の電磁波硬化型インクに対して、前記第２照射強度よりも強い照射強度の電磁波を照射して、前記白色とは異なる色の電磁波硬化型インクを本硬化する本硬化工程を有することを特徴とする。
また、本発明の一実施形態に係る印刷方法において、前記第２電磁波照射工程と前記本硬化工程との間に、前記白色とは異なる色の電磁波硬化型インクの上に透明の電磁波硬化型インクを吐出する工程を備えることを特徴とする。
また、本発明の一実施形態に係る印刷方法において、前記電磁波は紫外線であることを特徴とする。
また、本発明の一実施形態に係る印刷物は、白色の電磁波硬化型インクを媒体に向けて吐出し背景画像を形成する工程と、前記媒体に形成された前記背景画像に第１照射強度の電磁波を照射する第１電磁波照射工程と、前記電磁波が照射された前記背景画像の上に、前記白色とは異なる色の電磁波硬化型インクを吐出する工程と、前記背景画像の上に着弾した前記白色とは異なる色の電磁波硬化型インクに第２照射強度の電磁波を照射する第２電磁波照射工程と、を備え、前記第１照射強度は、前記第２電磁波照射工程の後の、前記背景画像に対する前記白色とは異なる色の電磁波硬化型インクの接触角が９０度よりも大きくなるように照射強度が設定されている印刷方法を用いて印刷され、前記背景画像に対する前記白色とは異なる色の電磁波硬化型インクの接触角が９０度よりも大きいことを特徴とする。
また、本発明の一実施形態に係る印刷装置は、  媒体に白色の電磁波硬化型インクを吐出する第１ヘッドと、前記媒体に着弾した前記白色の電磁波硬化型インクに第１照射強度の電磁波を照射する第１電磁波照射部と、前記白色の電磁波硬化型インクの上に、前記白色とは異なる色の電磁波硬化型インクを吐出する第２ヘッドと、前記白色の電磁波硬化型インクの上に着弾した前記白色とは異なる色の電磁波硬化型インクに第２照射強度の電磁波を照射する第２電磁波照射部と、を備え、上記に記載の印刷方法を実施することを特徴とする。
また、本発明の一実施形態に係る印刷装置は、互いに異なる電磁波硬化型インクを媒体に向けて吐出する複数のヘッドと、該複数のヘッドにより吐出される前記互いに異なる電磁波硬化型インクの各々を照射するための、前記複数のヘッドの各々に対応した複数の照射部と、前記ヘッドと前記照射部とを制御するコントローラーと、を有する印刷装置であって、前記コントローラーは、印刷を行う際に、前記複数のヘッドのうちの一のヘッドが、前記互いに異なる電磁波硬化型インクのうちの一の電磁波硬化型インクを吐出する第一吐出動作と、前記複数の照射部のうちの前記一のヘッドに対応した照射部が、前記一の電磁波硬化型インクに前記電磁波を照射する第一照射動作と、前記一のヘッドとは異なる他のヘッドが、前記一の電磁波硬化型インクとは異なる他の電磁波硬化型インクを、前記一の電磁波硬化型インクに重なるように該一の電磁波硬化型インクが吐出された前記媒体上の画素に向けて吐出する第二吐出動作と、前記他のヘッドに対応した照射部が前記他の電磁波硬化型インクに前記電磁波を照射する第二照射動作と、をこの順に、前記他の電磁波硬化型インクの前記一の電磁波硬化型インクに対する接触角が９０度よりも大きくなるように実行することを特徴とする印刷装置である。
本発明の他の特徴については、本明細書及び添付図面の記載により明らかにする。
【図面の簡単な説明】
【０００７】
【図１】本実施形態に係るプリンター１のブロック図である。
【図２】プリンター１の概略断面図である。
【図３】図３Ａは、比較例に係る用紙Ｓ上の紫外線硬化型インクの形状を表した模式図である。図３Ｂは、本件例に係る用紙Ｓ上の紫外線硬化型インクの形状を表した模式図である。
【図４】第二実施形態に係るプリンター１の概略断面図である。
【図５】第二実施形態に係る用紙Ｓ上の紫外線硬化型インクの形状を表した模式図である。
【発明を実施するための形態】
【０００８】
本明細書及び添付図面の記載により、少なくとも次のことが明らかにされる。
【０００９】
互いに異なる電磁波硬化型インクを媒体に向けて吐出する複数のヘッドと、
該複数のヘッドにより吐出される前記互いに異なる電磁波硬化型インクの各々を照射するための、前記複数のヘッドの各々に対応した複数の照射部と、
前記ヘッドと前記照射部とを制御するコントローラーと、を有する印刷装置であって、
前記コントローラーは、印刷を行う際に、
前記複数のヘッドのうちの一のヘッドが、前記互いに異なる電磁波硬化型インクのうちの一の電磁波硬化型インクを吐出する第一吐出動作と、
前記複数の照射部のうちの前記一のヘッドに対応した照射部が、前記一の電磁波硬化型インクに前記電磁波を照射する第一照射動作と、
前記一のヘッドとは異なる他のヘッドが、前記一の電磁波硬化型インクとは異なる他の電磁波硬化型インクを、前記一の電磁波硬化型インクに重なるように該一の電磁波硬化型インクが吐出された前記媒体上の画素に向けて吐出する第二吐出動作と、
前記他のヘッドに対応した照射部が前記他の電磁波硬化型インクに前記電磁波を照射する第二照射動作と、
をこの順に、前記他の電磁波硬化型インクの前記一の電磁波硬化型インクに対する接触角が９０度よりも大きくなるように実行することを特徴とする印刷装置。
かかる印刷装置によれば、画像の画質の劣化を抑止することが可能となる。
【００１０】
また、前記複数の照射部は、前記電磁波硬化型インクに前記電磁波を照射して該電磁波硬化型インクを仮硬化させるための予備照射部であり、
前記複数の照射部とは別に、前記電磁波硬化型インクに前記電磁波を照射して該電磁波硬化型インクを本硬化させるための本照射部を備え、
前記コントローラーは、印刷を行う際に、
前記第一吐出動作と前記第一照射動作と前記第二吐出動作と前記第二照射動作とを実行した後に、前記本照射部を制御して前記電磁波硬化型インクを本硬化させる本硬化処理を実行することとしてもよい。
【００１１】
また、前記媒体を移動させる移動機構を有し、
前記コントローラーは、印刷を行う際に、
前記第一吐出動作と前記第一照射動作と前記第二吐出動作と前記第二照射動作とを実行した後に、
前記移動機構を制御して前記媒体を移動させる移動処理を実行し、その後、前記本硬化処理を実行することとしてもよい。
かかる場合には、例えば、媒体が移動しない場合に比べて、本発明の有効性が高まる。
【００１２】
また、前記複数のヘッドは、互いに異なる電磁波硬化型有色インクを前記媒体に向けて吐出する有色インク用ヘッドであり、
前記複数のヘッドとは別に、電磁波硬化型クリアインクを前記媒体に向けて吐出するクリアインク用ヘッドを有し、
前記複数の照射部とは別に、前記電磁波硬化型クリアインクを照射する他の照射部を有し、
前記コントローラーは、印刷を行う際に、
前記複数のヘッドのうちの一のヘッドが、前記互いに異なる電磁波硬化型インクのうちの一の電磁波硬化型インクを吐出する第三吐出動作と、
前記複数の照射部のうちの前記一のヘッドに対応した照射部が、前記一の電磁波硬化型インクに前記電磁波を照射する第三照射動作と、
前記クリアインク用ヘッドが、前記電磁波硬化型クリアインクを、前記一の電磁波硬化型インクに重なるように該一の電磁波硬化型インクが吐出された前記媒体上の画素に向けて吐出する第四吐出動作と、
前記他の照射部が前記電磁波硬化型クリアインクに前記電磁波を照射する第四照射動作と、
をこの順に、前記電磁波硬化型クリアインクの前記一の電磁波硬化型インクに対する接触角が９０度よりも小さくなるように実行することとしてもよい。
かかる場合には、クリアインクの光沢を出すという目的が適切に達成されることとなる。
【００１３】
次に、互いに異なる電磁波硬化型インクを媒体に向けて吐出する複数のヘッドと、
該複数のヘッドにより吐出される前記互いに異なる電磁波硬化型インクの各々を照射するための、前記複数のヘッドの各々に対応した複数の照射部と、
前記ヘッドと前記照射部とを制御するコントローラーと、を有する印刷装置を準備することと、
前記複数のヘッドのうちの一のヘッドが、前記互いに異なる電磁波硬化型インクのうちの一の電磁波硬化型インクを吐出する第一吐出動作と、
前記複数の照射部のうちの前記一のヘッドに対応した照射部が、前記一の電磁波硬化型インクに前記電磁波を照射する第一照射動作と、
前記一のヘッドとは異なる他のヘッドが、前記一の電磁波硬化型インクとは異なる他の電磁波硬化型インクを、前記一の電磁波硬化型インクに重なるように該一の電磁波硬化型インクが吐出された前記媒体上の画素に向けて吐出する第二吐出動作と、
前記他のヘッドに対応した照射部が前記他の電磁波硬化型インクに前記電磁波を照射する第二照射動作と、
をこの順に、前記他の電磁波硬化型インクの前記一の電磁波硬化型インクに対する接触角が９０度よりも大きくなるように実行することと、
を有することを特徴とする印刷方法。
かかる印刷方法によれば、画像の画質の劣化を抑止することが可能となる。
【００１４】
＝＝＝プリンター１の概要＝＝＝
＜＜＜プリンター１の構成について＞＞＞
印刷装置の一例としてインクジェットプリンター（以下、プリンター１と呼ぶ）を例に挙げ、プリンター１とコンピューター６０が接続された印刷システムにて実施形態を説明する。
【００１５】
図１は、本実施形態のプリンター１の全体構成ブロック図である。図２は、プリンター１の概略断面図である。外部装置であるコンピューター６０から印刷指令（印刷データ）を受信したプリンター１は、コントローラー１０により、各ユニット（搬送ユニット２０、ヘッドユニット３０、紫外線照射ユニット４０）を制御し、用紙Ｓに画像を形成する。また、プリンター１内の状況を検出器群５０が監視し、その検出結果に基づいて、コントローラー１０は各ユニットを制御する。
【００１６】
コントローラー１０は、プリンター１の制御を行うための制御ユニットである。インターフェース部１１は、外部装置であるコンピューター６０とプリンター１との間でデータの送受信を行うためのものである。ＣＰＵ１２は、プリンター１全体の制御を行うための演算処理装置である。メモリー１３は、ＣＰＵ１２のプログラムを格納する領域や作業領域等を確保するためのものである。ＣＰＵ１２は、メモリー１３に格納されているプログラムに従ったユニット制御回路１４により各ユニットを制御する。
【００１７】
搬送ユニット２０（移動機構に相当）は、媒体の一例としての用紙Ｓを所定の方向（以下、搬送方向という）に搬送させるためのものである。この搬送ユニット２０は、図２に示すように、上流側搬送ローラー２３ａ及び下流側搬送ローラー２３ｂと、ベルト２４と、を有する。不図示の搬送モーターが回転すると、上流側搬送ローラー２３ａ及び下流側搬送ローラー２３ｂが回転し、ベルト２４が回転する。給紙ローラー（不図示）によって給紙された用紙Ｓは、ベルト２４によって、印刷可能な領域（ヘッドと対向する領域）まで搬送される。ベルト２４が用紙Ｓを搬送することによって、用紙Ｓがヘッドユニット３０に対して搬送方向に移動する。印刷可能な領域を通過した用紙Ｓは、ベルト２４によって外部へ排紙される。なお、搬送中の用紙Ｓは、ベルト２４に静電吸着又はバキューム吸着されている。
【００１８】
ヘッドユニット３０は、用紙にインクを吐出するためのヘッド３１を有する。図２に示すプリンター１では、互いに異なるインクを用紙Ｓに向けて吐出する複数のヘッド３１が設けられている。各ヘッド３１の下面にはインク吐出部であるノズルが複数設けられる。各ノズルには、インクが入った圧力室（不図示）と、圧力室の容量を変化させてインクを吐出させるための駆動素子（例えばピエゾ素子）が設けられている。駆動素子に駆動信号が印加されることにより、駆動素子は変形し、その変形に伴って圧力室が膨張・収縮することによりインクが吐出される。
【００１９】
なお、本実施形態では、インクとして、電磁波の一例としての紫外線が照射されることによって硬化する電磁波硬化型インクの一例としての紫外線硬化型インクを用いる。ここで、紫外線硬化型インク（以下、単にインクとも呼ぶ）は、ビヒクル、光重合開始剤及び顔料の混合物に、消泡剤、重合禁止剤等の補助剤を添加して調合される。なお、ビヒクルは、光重合硬化性を有するオリゴマー、モノマー等を、反応性希釈剤により粘度調整して調合される。また、インクとしては、水性インクと油性インクの両方を含むものとする。
【００２０】
プリンター１は９色の有色インクを吐出可能する。搬送方向の上流側から下流側へ向かって順に、白インクＷを吐出するヘッド３１（Ｗ）と、ブラックインクＫを吐出するヘッド３１（Ｋ）と、シアンインクＣを吐出するヘッド３１（Ｃ）と、マゼンタインクＭを吐出するヘッド３１（Ｍ）と、イエローインクＹを吐出するヘッド３１（Ｙ）と、ライトマゼンタインクＬｍを吐出するヘッド３１（Ｌｍ）と、ライトシアンインクＬｃを吐出するヘッド３１（Ｌｃ）と、オレンジインクＯを吐出するヘッド３１（Ｏ）と、グリーンインクＧを吐出するヘッド３１（Ｇ）が設けられている。
【００２１】
紫外線照射ユニット４０は、ヘッド３１が用紙Ｓに向けて吐出したインクに紫外線を照射してインクを硬化させるためのものである。この紫外線照射ユニット４０は、インクに紫外線を照射してインクを仮硬化させるための予備照射部４１（複数の照射部に相当）とインクに紫外線を照射してインクを本硬化させるための本照射部４２とを備えている。予備照射部４１、本照射部４２は、紫外線硬化型インクに紫外線を照射して硬化するランプ（例えばメタルハライドランプやＬＥＤなど）を有する。
なお、予備照射部４１は本照射部４２に比べて照射強度の弱い紫外線を照射する。そして、このことにより、ヘッド３１から吐出された紫外線硬化型インクは、予備照射部４１にて照射される紫外線では完全には硬化せず（仮硬化）、本照射部４２にて照射される紫外線によって完全に硬化することとなる（本硬化）。
【００２２】
本実施形態のプリンター１では、複数のヘッド３１により吐出される互いに異なるインクの各々を照射するための、複数のヘッド３１の各々に対応した複数の予備照射部４１が設けられている。より具体的には、搬送方向の上流側から下流側へ向かって順に、白インクＷを吐出するヘッド３１（Ｗ）に対応し、ヘッド３１（Ｗ）から見て下流側に位置する白インクＷを照射するための予備照射部４１（Ｗ）と、ブラックインクＫを吐出するヘッド３１（Ｋ）に対応し、ヘッド３１（Ｋ）から見て下流側に位置するブラックインクＫを照射するための予備照射部４１（Ｋ）と、シアンインクＣを吐出するヘッド３１（Ｃ）に対応し、ヘッド３１（Ｃ）から見て下流側に位置するシアンインクＣを照射するための予備照射部４１（Ｃ）と、マゼンタインクＭを吐出するヘッド３１（Ｍ）に対応し、ヘッド３１（Ｍ）から見て下流側に位置するマゼンタインクＭを照射するための予備照射部４１（Ｍ）と、イエローインクＹを吐出するヘッド３１（Ｙ）に対応し、ヘッド３１（Ｙ）から見て下流側に位置するイエローインクＹを照射するための予備照射部４１（Ｙ）と、ライトマゼンタインクＬｍを吐出するヘッド３１（Ｌｍ）に対応し、ヘッド３１（Ｌｍ）から見て下流側に位置するライトマゼンタインクＬｍを照射するための予備照射部４１（Ｌｍ）と、ライトシアンインクＬｃを吐出するヘッド３１（Ｌｃ）に対応し、ヘッド３１（Ｌｃ）から見て下流側に位置するライトシアンインクＬｃを照射するための予備照射部４１（Ｌｃ）と、オレンジインクＯを吐出するヘッド３１（Ｏ）に対応し、ヘッド３１（Ｏ）から見て下流側に位置するオレンジインクＯを照射するための予備照射部４１（Ｏ）と、グリーンインクＧを吐出するヘッド３１（Ｇ）に対応し、ヘッド３１（Ｇ）から見て下流側に位置するグリーンインクＧを照射するための予備照射部４１（Ｇ）と、が備えられている。そして、搬送方向の最も下流側には本照射部４２が一つだけ設けられている。
【００２３】
＜＜＜プリンター１の動作について＞＞＞
ところで、本実施の形態に係るプリンター１は多数の印刷モードを備えている。例を挙げれば、シアン、マゼンタ、イエローインクを用いてカラー画像を印刷する印刷モード（以下、第一印刷モードと呼ぶ）、白（インク）の背景画像上に、シアン、マゼンタ、イエローインクを用いてカラー画像を印刷する印刷モード（以下、第二印刷モードと呼ぶ）、白インク以外の全てのインクを用いてカラー画像を印刷する印刷モード（以下、第三印刷モード）等である。そして、前述した９個のヘッド３１及び９個の予備照射部４１の全てが、常に、使用されるわけではなく、どのヘッド３１及び予備照射部４１が用いられるかは印刷モードに応じて相違することとなる。すなわち、第一印刷モードにより印刷が行われる際には、シアン、マゼンタ、イエローインクに対応した３個のヘッド３１及び３個の予備照射部４１が動作し、第二印刷モードにより印刷が行われる際には、白、シアン、マゼンタ、イエローインクに対応した４個のヘッド３１及び４個の予備照射部４１が動作し、第三印刷モードにより印刷が行われる際には、白以外のインクに対応した８個のヘッド３１及び８個の予備照射部４１が動作することとなる。
【００２４】
以下では、プリンター１の印刷動作について、第一印刷モードによる印刷が行われるときの動作を例に挙げて説明する。なお、印刷が実行されるときのプリンター１の各種動作は、主としてコントローラー１０により実現される。特に、本実施の形態においては、メモリー１３に格納されたプログラムをＣＰＵ１２が処理することにより実現される。そして、このプログラムは、以下に説明する各種の動作を行うためのコードから構成されている。
【００２５】
コントローラー１０は、印刷データを受信すると、用紙Ｓをベルト２４上に給紙する。用紙Ｓは、ベルト２４により一定の速度で停まることなく搬送され、やがて、ヘッド３１（Ｃ）と対向する。そして、かかる際に、コントローラー１０は、ヘッド３１（Ｃ）を制御して、ヘッド３１（Ｃ）がシアンインクを吐出するシアンインク吐出動作を実行する。次に、コントローラー１０は、予備照射部４１（Ｃ）を制御して、予備照射部４１（Ｃ）が用紙Ｓに吐出されたシアンインクに紫外線を照射するシアンインク照射動作（シアンインクを仮硬化させる仮硬化処理）を実行する（この間、用紙Ｓの搬送動作は継続している）。コントローラー１０は、その後、順に、ヘッド３１（Ｍ）、予備照射部４１（Ｍ）、ヘッド３１（Ｙ）、予備照射部４１（Ｙ）を制御して、マゼンタインク吐出動作、マゼンタインク照射動作（マゼンタインク仮硬化処理）、イエローインク吐出動作、イエローインク照射動作（イエローインク仮硬化処理）を実行する（ここで、インク吐出及び予備照射は終了する）。予備照射の終了後、コントローラー１０は、本照射部４２を制御してインクを硬化させる本硬化処理を実行する。そして、このことにより、用紙Ｓ上への画像の印刷が完了し、当該用紙Ｓは外部へ排紙される。
【００２６】
＝＝＝用紙Ｓ上におけるインクの形状について＝＝＝
ここでは、上述した印刷動作（第一印刷モードによる印刷）が実行されて用紙Ｓ上にて互いに重ねられた紫外線硬化型インクの形状について、本件例を従来例（比較例）と比較しつつ図を用いて考察する。図３Ａは、比較例に係る用紙Ｓ上の紫外線硬化型インクの形状を表した模式図であり、図３Ｂは、本件例に係る用紙Ｓ上の紫外線硬化型インクの形状を表した模式図である。なお、図３Ａ及び図３Ｂの下図は、上図の丸囲い部分を拡大し、接触角を示した図である。
【００２７】
上述した印刷動作（第一印刷モードによる印刷）が行われると、図３Ａ及び図３Ｂに示すように、シアン、マゼンタ、イエローインクが順次重ねられる（この重なりにより、カラー色が表現される）。ここで紫外線硬化型インクは、通常の水性インクとは異なり、溶媒の蒸発という現象が生じないため、シアン、マゼンタ、イエローインクの各々が重なった状態が、明確に現れる。
【００２８】
このように、比較例及び本件例のいずれにおいても、各インクが重なった状態が明確に現れる点では共通しているが、比較例と本件例では、下のインクに対する上のインク（つまり、シアンインクに対するマゼンタインクやマゼンタインクに対するイエローインク）の重なり方の態様が異なっている。すなわち、図３Ａ及び図３Ｂから明らかなように、比較例においては、上のインクの端の部分（符号ｅ１で示す）が外側に広がるようにして上のインクが下のインクに重なっているのに対し、本件例においては、上のインクの端の部分（符号ｅ２で示す）が内側に入り込むようにして上のインクが下のインクに重なっている。
【００２９】
そして、かかる相違点により、比較例にはデメリットが本件例にはメリットが生じている。すなわち、比較例においては、上のインクの端の部分ｅ１が外側に広がっているため、当該部分が下方へ脱落し易くなっている。そして、用紙Ｓに何らかの振動（例えば、用紙Ｓが搬送される際の振動）が加わるとき等に、当該脱落が発生する可能性が高く、当該脱落が発生してしまった場合には、画像の画質の劣化が生ずることとなる。これに対し、本件例においては、上のインクの端の部分ｅ２が内側に入り込んでいるため、当該部分が下方へ脱落し難くなっている。そのため、用紙Ｓに振動等が加わったとしても、当該脱落が生じることは殆どなく、画像の画質の劣化が適切に抑止されていることとなる。
【００３０】
このように、上のインクの端の部分ｅ１が外側に広がっている比較例に比べて、上のインクの端の部分ｅ２が内側に入り込んでいる本件例は優位性を有するが、当該端の部分が外側に広がっているか内側に入り込んでいるかは、上のインクの下のインクに対する接触角を用いることにより切り分けできる。すなわち、比較例においては当該接触角α１が９０度よりも小さい（図３Ａの下図）一方で、本件例においては当該接触角α２が９０度よりも大きく（図３Ｂの下図）なっており、また、当該端の部分が外側に広がっているか内側に入り込んでいるかの境目は、接触角＝９０度であることが、図３Ａ及び図３Ｂから理解できる。なお、上のインクの下のインクに対する接触角α１（α２）とは、上のインクの最端ｘ１（ｘ２）において、上のインクに対する接線Ｐ１（Ｐ２）と、下のインクに対する接線Ｑ１（Ｑ２）を引いたときの、Ｐ１とＱ１（Ｐ２とＱ２）の成す角である。また、当該接触角は、下のインクの吐出動作、下のインクへの照射動作（仮硬化処理）、上のインクの吐出動作、上のインクへの照射動作（仮硬化処理）が全て行なわれた際に、上のインク及び下のインクの形状が確定されることにより明確に現れる角度である(また、前記４つの処理が全て行なわれて接触角が明確に現れた後には、以降の処理による当該接触角の変化は殆ど無い)。
【００３１】
すなわち、本件例においては、接触角α２が９０度よりも大きいことにより、端の部分ｅ２が内側に入り込んでいることに起因した上述したメリットが生じていることとなる。なお、接触角をどの値に設定するか（９０度より大きくすること）については、コントロール可能である（具体的なコントロール方法については、後述する）。
【００３２】
つまり、本件例においては、コントローラー１０が、印刷を行う際に、ヘッド３１（Ｃ）（一のヘッドに相当）がシアンインク（一の電磁波硬化型インクに相当）を吐出するシアンインク吐出動作（第一吐出動作に相当）と、予備照射部４１（Ｃ）（一のヘッドに対応した照射部に相当）がシアンインクに紫外線を照射するシアンインク照射動作（第一照射動作に相当）と、ヘッド３１（Ｍ）（他のヘッドに相当）がマゼンタインク（他の電磁波硬化型インクに相当）を、シアンインクに重なるようにシアンインクが吐出された用紙Ｓ上の画素に向けて吐出するマゼンタインク吐出動作（第二吐出動作に相当）と、予備照射部４１（Ｍ）（他のヘッドに対応した照射部に相当）がマゼンタインクに紫外線を照射するマゼンタインク照射動作（第二照射動作に相当）と、をこの順に、マゼンタインク（上のインク）のシアンインク（下のインク）に対する接触角が９０度よりも大きくなるように実行することとなる。さらに、本件例においては、コントローラー１０が、印刷を行う際に、ヘッド３１（Ｍ）（一のヘッドに相当）がマゼンタインク（一の電磁波硬化型インクに相当）を吐出するマゼンタインク吐出動作（第一吐出動作に相当）と、予備照射部４１（Ｍ）（一のヘッドに対応した照射部に相当）がマゼンタインクに紫外線を照射するマゼンタインク照射動作（第一照射動作に相当）と、ヘッド３１（Ｙ）（他のヘッドに相当）がイエローインク（他の電磁波硬化型インクに相当）を、マゼンタインクに重なるようにマゼンタインクが吐出された用紙Ｓ上の画素に向けて吐出するイエローインク吐出動作（第二吐出動作に相当）と、予備照射部４１（Ｙ）（他のヘッドに対応した照射部に相当）がイエローインクに紫外線を照射するイエローインク照射動作（第二照射動作に相当）と、をこの順に、イエローインク（上のインク）のマゼンタインク（下のインク）に対する接触角が９０度よりも大きくなるように実行する。そして、このことにより、前述した通り、画像の画質の劣化が適切に抑止されることとなる。
【００３３】
＜＜＜接触角のコントロール方法＞＞＞
ここでは、接触角のコントロール方法について説明する。当該接触角の大きさは、上のインク及び下のインクが仮硬化される際の上のインク及び下のインクの仮硬化度（つまり、紫外線硬化型インクの何パーセントのモノマーがポリマーに変わったか）に依存する。そのため、予備照射部４１の照射強度を調整すれば、当該接触角を所望の値（つまり、９０度よりも大きい値）とすることができる。特に、下のインクの仮硬化度が接触角に大きな影響を与えるので（下のインクの仮硬化度が高いほど、接触角が大きくなる傾向にある）、下のインクに紫外線を照射する予備照射部４１の照射強度を中心に調整すると良い。
【００３４】
当該調整は、プリンター１の出荷前等に、例えば、以下のようにして行なわれる。すなわち、前述した４つの動作（つまり、下のインクの吐出動作、下のインクへの照射動作（仮硬化処理）、上のインクの吐出動作、上のインクへの照射動作（仮硬化処理））を実行し、その後、実際に、用紙Ｓにおける上のインクの下のインクに対する接触角を測定する。そして、当該接触角の測定値が所望の値でなかった場合には、予備照射部４１の照射強度を変更して、測定値が所望の値となるまで、繰り返し実行する。そして、測定値が所望の値となったときの照射強度を、予備照射部４１に設定する。
【００３５】
なお、当該接触角の測定は、通常、公知の方法で難儀することなく実施できるが、当該接触角が測りにくい場合には、前記下のインクの吐出動作にて、所謂ベタ画像を形成するとよい。当該ベタ画像を形成すると、下のインクにより形成される表面が用紙Ｓの表面と同様な平坦な面となるため、上のインクの下のインクに対する接触角が、恰も用紙Ｓの上にある前記上のインクの接触角を測るように、簡易に測れることとなる。なお、ベタ画像を形成する下のインクに対する上のインクの接触角とベタ画像を形成しない下のインクに対する上のインクの接触角は、前記照射強度が同じであれば、同じ角度となる。
【００３６】
＝＝＝その他の実施の形態＝＝＝
上記の実施の形態は、主として印刷装置について記載されているが、印刷方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００３７】
また、上記実施の形態においては、印刷装置をインクジェットプリンターに具体化したが、この限りではなく、本発明は他の印刷装置に適用することもできる。
【００３８】
また、上記実施の形態においては、電磁波硬化型インクとして紫外線硬化型インクを例に挙げたが、これに限定されるものではない。例えば、電子線、Ｘ線、可視光線、赤外線等の電磁波で硬化するインクであってもよい。
【００３９】
また、上記実施の形態において、前記複数の照射部は、紫外線硬化型インクに紫外線を照射して該紫外線硬化型インクを仮硬化させるための予備照射部４１であり、前記複数の照射部とは別に、紫外線硬化型インクに紫外線を照射して該紫外線硬化型インクを本硬化させるための本照射部４２を備え、コントローラー１０は、印刷を行う際に、前記第一吐出動作と前記第一照射動作と前記第二吐出動作と前記第二照射動作とを実行した後に、本照射部４２を制御して紫外線硬化型インクを本硬化させる本硬化処理を実行することとしたが、これに限定されるものではない。
例えば、前記複数の照射部は、本照射部４２であり、前記第一照射動作及び前記第二照射動作は、本照射部４２による照射動作であることとしてもよい。
【００４０】
また、上記実施の形態に係るプリンター１は、用紙Ｓを移動させる搬送ユニット２０を有し、コントローラー１０は、印刷を行う際に、前記第一吐出動作と前記第一照射動作と前記第二吐出動作と前記第二照射動作とを実行した後に、搬送ユニット２０を制御して用紙Ｓを移動させる移動処理を実行し、その後、前記本硬化処理を実行することとしたが、これに限定されるものではない。
例えば、用紙Ｓは移動することなく、ヘッド３１、予備照射部４１、本照射部４２が移動して、印刷が行われるプリンター１であってもよく、当該プリンター１にも本発明を適用できる。
ただし、コントローラー１０が、印刷を行う際に、前記第一吐出動作と前記第一照射動作と前記第二吐出動作と前記第二照射動作とを実行した後に、搬送ユニット２０を制御して用紙Ｓを移動させる移動処理を実行し、その後、前記本硬化処理を実行するプリンター１においては、当該移動処理において、前述した上のインクの端の部分が下方へ脱落する可能性が、用紙Ｓが移動しない場合と比べて大きくなる。そのため、コントローラー１０が、印刷を行う際に、前記第一吐出動作と前記第一照射動作と前記第二吐出動作と前記第二照射動作とを実行した後に、搬送ユニット２０を制御して用紙Ｓを移動させる移動処理を実行し、その後、前記本硬化処理を実行するプリンター１への、本発明の適用は、当該脱落を抑えるという本発明の有効性が高まる点でより望ましい。
【００４１】
また、上記実施の形態（以下、第一実施形態とも呼ぶ）においては、有色インクのみが吐出されるプリンター１を例に挙げて説明したが、これに限定されるものではなく、他の実施形態（以下、第二実施形態とも呼ぶ）も考えられる。
【００４２】
図４は、図２に対応する図であり、第二実施形態に係るプリンター１の概略断面図である。第二実施形態に係るプリンター１においては、前記複数のヘッド３１（すなわち、紫外線硬化型有色インクを用紙Ｓに向けて吐出する有色インク用ヘッド）とは別に、無色透明の紫外線硬化型クリアインクを用紙Ｓに向けて吐出するクリアインク用ヘッド１３１を有している（クリアインク用ヘッド１３１は、複数のヘッド３１よりも搬送方向において下流側に設けられている）。さらに、前記複数の照射部（すなわち、９つの予備照射部４１）とは別に、紫外線硬化型クリアインクを照射する他の照射部の一例としてのクリアインク用予備照射部１４１を有している（クリアインク用予備照射部１４１は、９つの予備照射部４１よりも搬送方向において下流側かつ本照射部４２よりも上流側に設けられている）。
【００４３】
そして、第二実施形態に係るプリンター１も、第一実施形態に係るプリンター１と同様、多数の印刷モードを備えている。例を挙げれば、前記第一印刷モード乃至前記第三印刷モードを備えているし、また、シアン、マゼンタ、イエローインクを用いてカラー画像を印刷するが最後にクリアインクを吐出して光沢を出す印刷モード（以下、第四印刷モードと呼ぶ）等も備えている。
【００４４】
図５は、図３Ｂに対応する図であり、第二実施形態に係る用紙Ｓ上の紫外線硬化型インクの形状を表した模式図である。第四印刷モードによる印刷が行われると、シアン、マゼンタ、イエロー、クリアインクが順次重ねられる。そして、図５に示すように、第二実施形態においては、マゼンタインクのシアンインクに対する接触角やイエローインクのマゼンタインクに対する接触角が、第一実施形態と同様、９０度よりも大きくなっている。一方で、クリアインクのイエローインクに対する接触角は９０度よりも小さくなっている。
【００４５】
すなわち、第二実施形態に係るコントローラー１０は、印刷を行う際に、ヘッド３１（Ｙ）（一のヘッドに相当）がイエローインク（一の電磁波硬化型インクに相当）を吐出するイエローインク吐出動作（第三吐出動作に相当）と、予備照射部４１（Ｙ）（一のヘッドに対応した照射部に相当）がイエローインクに紫外線を照射するイエローインク照射動作（第三照射動作に相当）と、クリアインク用ヘッド１３１がクリアインクを、イエローインクに重なるようにイエローインクが吐出された用紙Ｓ上の画素に向けて吐出するクリアインク吐出動作（第四吐出動作に相当）と、クリアインク用予備照射部１４１がクリアインクに紫外線を照射するクリアインク照射動作（第四照射動作に相当）と、をこの順に、クリアインク（上のインク）のイエローインク（下のインク）に対する接触角が９０度よりも小さくなるように実行することとなる。
【００４６】
そして、このようにする理由は以下の通りである。すなわち、クリアインクは、無色透明のインクであるため、前述した脱落が生じても画像の画質の劣化が生ずることはなく、むしろ、画像全面に広がった方がよいからである（このような場合において、クリアインクの光沢を出すという目的が適切に達成されることとなる）。
【符号の説明】
【００４７】
１  プリンター、１０  コントローラー、１１  インターフェース部、１２  ＣＰＵ、１３  メモリー、１４  ユニット制御回路、２０  搬送ユニット、２３ａ  上流側搬送ローラー、２３ｂ  下流側搬送ローラー、２４  ベルト、３０  ヘッドユニット、３１  ヘッド、４０  紫外線照射ユニット、４１  予備照射部、４２  本照射部、５０  検出器群、１３１  クリアインク用ヘッド、１４１  クリアインク用予備照射部。
【図１】
0005949981.tif 000002
【図２】
0005949981.tif 000003
【図３】
0005949981.tif 000004
【図４】
0005949981.tif 000005
【図５】
0005949981.tif 000006